(57)【要約】【課題】簡単な構造であって且つ輸液容器の口部に対して液漏れのない状態で確実に樹脂針を装着し得る輸液容器の樹脂針装着構造を提供する。【解決手段】輸液容器の樹脂針装着構造は、輸液容器の口部（１１）に溶着された蓋部材（２）と当該蓋部材に装着される輸液取出用の樹脂針（４）とから構成される。蓋部材（２）は、先端が封止部によって封止され且つ当該封止部に脆弱部が設けられた針装着穴（３）を備えている。そして、針装着穴（３）の筒部の内周面は先端側に向かうに従い漸次縮径されたテーパー面とされる。一方、樹脂針（４）は、先端部が先細の針先に形成されて後端部がカテーテル嵌合部とされた略細長の管状体として構成される。そして、樹脂針（４）の胴部の外周面は針装着穴（３）の筒部に密接に嵌合するテーパー面とされる。【選択図】　　　　図１
2004057678.tif 000002
【特許請求の範囲】
【請求項１】
輸液容器の口部に溶着された蓋部材と当該蓋部材に装着される輸液取出用の樹脂針とから構成される輸液容器の樹脂針装着構造であって、前記蓋部材は、略円筒状の筒部の先端が封止部によって封止され且つ当該封止部に前記樹脂針の圧入によって破れる脆弱部が設けられた針装着穴を備え、当該針装着穴の筒部の基端側内周面には拡径された円環状の係合溝が設けられ、しかも、前記針装着穴の筒部の内周面は先端側に向かうに従い漸次縮径されたテーパー面とされ、前記樹脂針は、先端部が先細の針先に形成されて後端部がカテーテル嵌合部とされた略細長の管状体として構成され且つその中間部に把持部としての鍔を備え、当該鍔よりも先端側の樹脂針胴部の鍔近傍には前記蓋部材の針装着穴の係合溝に密接に嵌合する円環状の拡径部が設けられ、しかも、前記樹脂針胴部の外周面は前記蓋部材の針装着穴の筒部に密接に嵌合するテーパー面とされていることを特徴とする輸液容器の樹脂針装着構造。
【請求項２】
針装着穴は、略円筒状の筒部の先端を略円錐状の封止部によって封止されて成る請求項１に記載の輸液容器の樹脂針装着構造。
【請求項３】
針装着穴は、円筒状の筒部の先端を略円盤状の封止部によって封止されて成る請求項１に記載の輸液容器の樹脂針装着構造。
【請求項４】
針装着穴の筒部のテーパー面のテーパー角度が５度以下である請求項１〜３の何れかに記載の輸液容器の樹脂針装着構造。
【請求項５】
蓋部材は、皿状に形成され且つその底面相当部位に針装着穴が設けられた針装着部と、当該針装着部の周囲に張出された溶着用のフランジ部とを備え、前記針装着部の内側に突出する前記針装着穴は、その封止部の先端が前記針装着部の端縁から突出しない長さに形成されている請求項１〜４の何れかに記載の輸液容器の樹脂針装着構造。
【請求項６】
樹脂針の装着前において、蓋部材の外側の端面には、針装着穴を被覆するシールが溶着されている請求項１〜５の何れかに記載の輸液容器の樹脂針装着構造。
【請求項７】
樹脂針の針先の先端は、曲率半径が０．１５〜２．０ｍｍの球面に形成されている請求項１〜６の何れかに記載の輸液容器の樹脂針装着構造。
【請求項８】
樹脂針のカテーテル嵌合部には環状の拡径部が設けられている請求項１〜７の何れかに記載の輸液容器の樹脂針装着構造。
【請求項９】
樹脂針の鍔の外周部の少なくとも一部には直線的な切欠き部が設けられている請求項１〜８の何れかに記載の輸液容器の樹脂針装着構造。
【発明の詳細な説明】
【０００１】
【発明の属する技術分野】
本発明は、輸液容器の樹脂針装着構造に関するものであり、詳しくは、簡単な構造であって且つ輸液容器の口部に対して液漏れのない状態で確実に樹脂針を装着し得る輸液容器の樹脂針装着構造に関するものである。
【０００２】
【従来の技術】
昨今、輸液容器の使用にあたっては、輸液取出用の針の誤った再使用による感染事故の防止や針による皮膚からの感染事故の防止を目的として、金属製の針の使用を規制し、使い捨ての樹脂製の針の普及が推進されつつある。
【０００３】
しかしながら、エラストマー等で構成された従来の輸液容器の口部の栓体に樹脂針を適用した場合、樹脂針自体の太さや栓体の材質に起因した栓体と樹脂針の密着性の問題から、樹脂針の装着部分において液漏れを生じ易いと言う問題がある。従って、樹脂針の普及においては、輸液容器の口部に対して十分なシール性を有し、また、低コストで製造し得る簡単な構造が望まれる。
【０００４】
【発明が解決しようとする課題】
本発明は、上記の実情に鑑み、樹脂針と共に、樹脂針に適した輸液容器の口部の構造を種々検討の結果なされたものであり、その目的は、簡単な構造であって且つ輸液容器の口部に対して液漏れのない状態で確実に樹脂針を装着し得る輸液容器の樹脂針装着構造を提供することにある。
【０００５】
【課題を解決するための手段】
上記の課題を解決するため、本発明に係る輸液容器の樹脂針装着構造は、輸液容器の口部に溶着された蓋部材と当該蓋部材に装着される輸液取出用の樹脂針とから構成される輸液容器の樹脂針装着構造であって、前記蓋部材は、略円筒状の筒部の先端が封止部によって封止され且つ当該封止部に前記樹脂針の圧入によって破れる脆弱部が設けられた針装着穴を備え、当該針装着穴の筒部の基端側内周面には拡径された円環状の係合溝が設けられ、しかも、前記針装着穴の筒部の内周面は先端側に向かうに従い漸次縮径されたテーパー面とされ、前記樹脂針は、先端部が先細の針先に形成されて後端部がカテーテル嵌合部とされた略細長の管状体として構成され且つその中間部に把持部としての鍔を備え、当該鍔よりも先端側の樹脂針胴部の鍔近傍には前記蓋部材の針装着穴の係合溝に密接に嵌合する円環状の拡径部が設けられ、しかも、前記樹脂針胴部の外周面は前記蓋部材の針装着穴の筒部に密接に嵌合するテーパー面とされていることを特徴とする。
【０００６】
すなわち、上記の樹脂針装着構造において、樹脂針の鍔が蓋部材に突き当たるまで蓋部材の針装着穴に樹脂針を押込むと、封止部の脆弱部が針先によって破れ、樹脂針先端の針先が容器本体内側に突出する。その際、針装着穴の筒部の係合溝に対し、樹脂針胴部の拡径部が密接に嵌合するため、針装着穴において樹脂針を一定の位置に保持でき且つ装着した樹脂針の脱落を防止できる。そして、針装着穴の筒部の内周面と樹脂針胴部の外周面とがテーパー面に形成され且つ互いに密接に嵌合するため、針装着穴と樹脂針で高い気密性を発揮し、樹脂針装着後の輸液の漏れを有効に防止し得る。
【０００７】
【発明の実施の形態】
本発明に係る輸液容器の樹脂針装着構造の実施形態を図面に基づいて説明する。図１は、輸液容器の口部に樹脂針が装着された状態の一例を一部破断して示す部分的な側面図である。図２は、輸液容器の口部に樹脂針が装着された状態の他の例を一部破断して示す部分的な側面図である。図３〜図５は、輸液容器の口部に溶着される蓋部材の形状例を示す縦断面図である。図６は、蓋部材における針装着穴の構造例を示す縦断面図であり、図７は、針装着穴先端の封止部における脆弱部の形状例を示す底面図である。また、図８は、樹脂針の構造例を一部破断して示す側面図であり、図９は、樹脂針の鍔の形状例を示す平面図である。以下、実施形態の説明においては、輸液容器の樹脂針装着構造を「装着構造」と略記する。
【０００８】
図１及び図２は輸液容器を転倒させた使用状態を示しており、図示する様に、本発明の装着構造は、輸液容器の口部（１１）に溶着された蓋部材（２）と当該蓋部材に装着される輸液取出用の樹脂針（合成樹脂製針）（４）とから構成される。本発明において、輸液容器としては、ブロー成形によって口部（１１）が容器本体（１）と一体に成形された変形可能な薄肉容器の他、フィルム製袋によって形成された容器本体に対して射出成形された口部を溶着して成るいわゆる輸液バッグが含まれる。何れの形態の容器においても、口部（１１）は、剛性を高めるために容器本体（１）よりも圧肉に形成され、上記の蓋部材（２）を確実に溶着するため、環状の立上り部の上端（図面では下端）にフランジ部（１２）を設けて構成される。
【０００９】
輸液容器の構成材料としては、プロピレンの単独重合体とプロピレンを主体とするオレフィンの共重合体とを含有する樹脂組成物、低密度ポリエチレンとオレフィン共重合体とを含有する樹脂組成物などが挙げられる。そして、一体成形型の輸液容器における容器本体（１）は、例えば、角部が円弧状に形成された略方形または略楕円形もしくは略円形の横断面形状（中心線に直交する断面形状）を備え、かつ、底部側が若干絞られた縦長容器として構成される。また、容器本体（１）の肩部は、緩やかな曲率で上記の口部（１１）に連続する曲面に形成されてもよい。
【００１０】
口部（１１）に溶着される蓋部材（２）は射出成形によって一体的に形成される。蓋部材（２）の構成材料としては、ポリエチレンとポリプロピレン系ポリマーが代表的である。ポリエチレンとしては、低密度ポリエチレン、線状低密度ポリエチレン、低密度ポリエチレンと線状低密度ポリエチレンの混合物、低密度ポリエチレンとメタタロセン触媒を使用して得られる低密度ポリエチレンとの混合物、低密度ポリエチレンと高密度ポリエチレンの混合物、高密度ポリエチレン、高密度ポリエチレンとメタタロセン触媒を使用して得られる低密度ポリエチレンとの混合物、低密度ポリエチレンとポリオレフィン系エラストマーの混合物などが挙げられる。また、ポリプロピレン系ポリマーとしては、ポリプロピレンの他、ポリプロピレンとメタタロセン触媒を使用して得られるポリプロピレンの混合物、オレフィン系特殊共重合軟質樹脂を含むポリプロピレンターポリマー、ポリプロピレンとポリオレフィン系エラストマーの混合物などが挙げられる。
【００１１】
蓋部材（２）は針装着穴（３）を設けて構成される。具体的には、図３〜図５に示す様に、蓋部材（２）は、略皿状に形成され且つその底面相当部位（各図　における上端の部位）に針装着穴（３）が設けられた針装着部（２１）と、当該針装着部の外周囲に張出された溶着用のフランジ部（２２）とを備えている。蓋部材（２）は、剛性、成形容易性などの観点から、後述する針装着穴（３）を含め、種々の形状に形成し得る。
【００１２】
例えば、図３（ａ）及び（ｂ）に示す様に、蓋部材（２）は、略皿状の針装着部（２１）の高さの略中間の部分、すなわち、皿の側壁に相当する部分の略中間の部分にフランジ部（２２）を張出して形成され、フランジ部（２２）から立ち下がった針装着部（２１）の短軸円筒状の高さ部分（皿の側壁相当部分）が口部（１１）に対する嵌合部（２３）として構成される。上記の様に、蓋部材（２）の一端側に嵌合部（２３）が設けられている場合には、容器本体（１）の口部（１１）に蓋部材（２）を溶着する際、口部（１１）に蓋部材（２）を容易に組み付けることが出来る。なお、図３（ａ）に示す蓋部材（２）と図３（ｂ）に示す蓋部材（２）とは、針装着部（２１）の直径、肉厚の他、口部（１１）と反対側の針装着部（２１）の端面に後述のシール（５）を溶着するための溶着部（２５）の配置が異なる。
【００１３】
更に、蓋部材（２）は、構造を簡素化するため、上記の嵌合部（２３）を備えていない形状に形成されてもよい。具体的には、図４（ｃ）及び（ｄ）に示す様に、蓋部材（２）は、略皿状の針装着部（２１）の高さ部分、すなわち、皿の側壁相当部分の端縁部にフランジ部（２２）を張出して形成される。図４（ｃ）に示す蓋部材（２）と図４（ｄ）に示す蓋部材（２）とは、針装着部（２１）の肉厚の他、上記の場合と同様に、口部（１１）と反対側の針装着部（２１）の端面に後述のシール（５）を溶着するための溶着部（２５）の配置が異なる。また、図５（ｅ）及び（ｆ）に示す蓋部材（２）は、各々、後述する針装着穴（３）の構造を除き、図４（ｃ）及び（ｄ）に示す蓋部材（２）と略同様の構造を備えている。
【００１４】
蓋部材（２）は、図３〜５に示す様に、上記の樹脂針（４）が装着される特定の針装着穴（３）を備えている。針装着穴（３）は、略円筒状の筒部（３１）の先端が封止部（３２）によって封止され且つ当該封止部に樹脂針（４）の圧入によって破れる脆弱部（３３）が設けられて成る。針装着穴（３）は、樹脂針（４）の先端側の大きさに略倣って設計されるが、針装着穴（３）の筒部（３１）の内径は、樹脂針（４）との密着性を高めるため、後述する樹脂針（４）の胴部（４３）の外径よりも僅かに小径に設計される。例えば、針装着穴（３）の筒部（３１）の内径は３〜５ｍｍ程度、筒部（３１）の深さは３〜６ｍｍ程度であり、通常、筒部（３１）の肉厚は０．５〜１．５ｍｍである。また、樹脂針（４）の挿入操作を容易にするため、針装着穴（３）の入口側（筒部（３１）の開口部近傍）は、図示する様に適宜拡径されていてもよい。
【００１５】
蓋部材（２）は、針装着穴（３）の先端側の封止部（３２）の構造により、例えば２つの態様が挙げられる。図１に示す装着構造は、図３及び図４に示す第１の態様の蓋部材（２）を使用した構造であり、図２に示す装着構造は、図５に示す第２の態様の蓋部材（２）を使用した構造である。
【００１６】
図３及び図４に示す蓋部材（２）の針装着穴（３）は、図６（ａ）に拡大して示す様に、略円筒状の筒部（３１）の先端を略円錐状の封止部（３２Ａ）によって封止されて成る。そして、斯かる封止部（３２Ａ）において、脆弱部（３３）は、図７（ａ）に示す様に、例えば、封止部（３２Ａ）の先端を中心に放射状に伸長された十文字状の溝によって構成される。上記の様な封止部（３２Ａ）を有する針装着穴（３）は、樹脂針（４）を挿入した場合、その押込み力を封止部（３２Ａ）の先端一点に集中させることが出来るため、小さな押込み力で脆弱部（３３）を破ることが出来る。
【００１７】
一方、図５に示す蓋部材（２）の針装着穴（３）は、図６（ｂ）に拡大して示す様に、円筒状の筒部（３１）の先端を略円盤状の封止部（３２Ｂ）によって封止されて成る。そして、斯かる封止部（３２Ｂ）において、脆弱部（３３）は、図７（ｂ）に示す様に、例えば、封止部（３２Ｂ）の中央に設けられた円弧状の溝と当該溝から放射状に５方向に伸長された横溝とから構成される。あるいは、脆弱部（３３）は、図７（ｃ）に示す様に、封止部（３２Ｂ）の中央からＵ字状に２方向に伸長された湾曲する溝とＶ字状に２方向に伸長された直線的な溝とから構成される。上記の様な封止部（３２Ｂ）を有する針装着穴（３）は、ほぼ有底円筒状に形成するだけであり成形が容易である。図７に示す上記の各封止部（３２）の肉厚、すなわち、溝の部分の厚さは、通常は０．２〜０．６ｍｍであり、また、各封止部（３２）の幅、すなわち、溝の部分の幅は、通常は０．３〜１．０ｍｍである。
【００１８】
また、図６（ａ）及び（ｂ）に示す様に、針装着穴（３）の筒部（３１）の基端側内周面には、挿入された樹脂針（４）を所定位置で固定するため、拡径された円環状の係合溝（３４）が設けられる。図に例示した針装着穴（３）において、係合溝（３４）は１箇所に設けられているが、斯かる係合溝（３４）は複数箇所設けられてもよい。通常、係合溝（３４）の内径は４〜８ｍｍ程度である。上記の様に、針装着穴（３）に上記の係合溝（３４）を設け且つ樹脂針（４）に後述の拡径部（４４）を設けることにより、樹脂針（４）の挿入代を規定でき、後述の筒部（３１）のテーパー面と樹脂針（４）の胴部（４３）のテーパー面とを確実に密着させることが出来る。
【００１９】
更に、本発明においては、樹脂針（４）との気密性を確保するため、針装着穴（３）の筒部（３１）の内周面は、先端側に向かうに従い漸次縮径されたテーパー面とされる。すなわち、筒部（３１）の内周面は、後述の樹脂針（４）の胴部に密着する面に形成されている。筒部（３１）のテーパー面のテーパー角度（θ１）は、樹脂針（４）との嵌合強度を高めて気密性を高めると言う観点から、５度以下、好ましくは１〜５度に設定される。
【００２０】
また、本発明において、針装着部（２１）の内側に突出する上記の針装着穴（３）は、その封止部（３２）の先端が針装着部（２１）の端縁から突出しない長さに形成されているのが好ましい。具体的には、図３〜図５に示す様に、針装着穴（３）は、略皿状に形成された蓋部材（２）の針装着部（２１）における口部（１１）側の端縁に対し、封止部（３２）先端が距離（Δｓ）だけ内側に後退した長さに設定される。通常、針装着部（２１）端縁と封止部（３２）先端との距離（Δｓ）は０．５〜３．０ｍｍである。上記の様に、針装着穴（３）の封止部（３２）の先端が針装着部（２１）の端縁から突出しない状態に形成されている場合には、作製した蓋部材（２）を製造工程で搬送する際、封止部（３２）の先端が搬送機器などに接触することがなく、蓋部材（２）の汚染を低減することが出来る。
【００２１】
更に、図３〜図５に示す様に、樹脂針（４）の装着前において、蓋部材（２）の外側の端面、すなわち、蓋部材（２）の針装着部（２１）の外表面には、針装着穴（３）を被覆する汚染防止用のシール（５）が溶着される。シール（５）は、針装着穴（３）の開口部分を及びその周辺部を被覆するものであり、通常はガスバリヤー性フィルム又はアルミニウム蒸着フィルムによって構成され、容器本体（１）の口部（１１）と反対側の針装着部（２１）の端面に設けられた膨出部（２５）に溶着される。膨出部（２５）は、図３（ａ）、図４（ｃ）及び図５（ｅ）に示す様に、針装着部（２１）の端面の外周部に１箇所に設けられてもよいし、また、図３（ｂ）、図４（ｄ）及び図５（ｆ）に示す様に、針装着部（２１）の端面の外周部と針装着穴（３）の周囲との２箇所に設けられてもよい。
【００２２】
一方、蓋部材（２）に装着される図１及び図２に示す樹脂針（４）は、射出成形によって一体的に形成される。樹脂針（４）の構成材料としては、ポリプロピレン、ＡＢＳ樹脂、ポリエチレンテレフタノールやポリカーボネート及びこれらの共重合体を含むポリアリレート、ポリエチレンナフタレート、ポリカーボネート、ポリアクリルニトリル、ポリフェニレンスルフィド、シクロオレフィンポリマー等が挙げられる。
【００２３】
図８に示す様に、樹脂針（４）は、略細長の管状体であり、その先端部が先細の針先（４１）として形成され且つ後端部がカテーテル嵌合部（４２）として形成される。後述の鍔（４５）、拡径部（４４）及び拡径部（４６）を除く樹脂針（４）の外径は４〜６ｍｍ程度に設定され、また、針先（４１）からカテーテル嵌合部（４２）まで貫通する樹脂針（４）の流路の内径（針先（４１）の部位を除く部位の内径）は１．０〜４．０ｍｍ程度に設定される。
【００２４】
ところで、蓋部材（２）の針装着穴（３）に樹脂針（４）を装着する場合には、針先（４１）によって封止部（３２）の脆弱部（３３）を破断し、筒部（３１）の先端から針先（４１）を容器本体（１）側に突出させる。そこで、樹脂針（４）の針先（４１）は、脆弱部（３３）に対する破断力を集中させるため、適度に尖った状態に形成される。
【００２５】
具体的には、樹脂針（４）の針先（４１）の先端は、曲率半径が０．１５〜２．０ｍｍの球面に形成される。針先（４１）の先端の曲率半径を上記の範囲に設定する理由は次の通りである。上記の曲率半径が０．１５ｍｍ未満の場合は、針先（４１）先端の強度が不足し、脆弱部（３３）を破る際に変形する虞がある。しかも、指先などの人体に刺さる虞があり、感染症防止の観点からも好ましくない。一方、曲率半径が２．０ｍｍを越えている場合には、加圧力が分散するため、脆弱部（３３）を破るのにより大きな押込み力が必要となり操作性に欠ける。
【００２６】
図８（ａ）、（ｂ）に示す樹脂針（４）は、針先（４１）が比較的先鋭な円錐状に形成された針であり、図８（ｃ）に示す樹脂針（４）は、針先（４１）が比較的緩やかな曲面の卵形に形成された針である。そして、図３及び図４に示す蓋部材（２）には、図８（ａ）〜（ｃ）の各態様の樹脂針（４）を適用できる。また、図５に示す蓋部材（２）には、図８（ａ）又は（ｂ）の態様の樹脂針（４）を適用するのが好ましい。
【００２７】
針先（４１）の先端の針先孔（４１ｃ）は、図１、図２又は図８（ａ）、（ｂ）に示す様に、略楕円形または滴形に形成されて針先（４１）の先端に２〜３箇所設けられる。あるいは、針先孔（４１ｃ）は、図８（ｃ）に示す様に、スリット状に形成されて針先（４１）の先端に２〜４箇所設けられる。
【００２８】
樹脂針（４）の中間部には、把持部として機能すると共に、蓋部材（２）の針装着穴（３）に対する挿入深さを規定する鍔（４５）が備えられている。鍔（４５）の位置は、鍔（４５）から先端側の樹脂針（４）の胴部（４３）の長さが所定の長さとなる位置、すなわち、針装着穴（３）の先端の封止部（３２）を針先（４１）で突き破った際に針先（４１）が容器本体（１）側に十分に突出する長さとなる位置に設けられる。
【００２９】
鍔（４５）は、樹脂針（４）を取扱う場合の把持部として機能する必要がある。すなわち、蓋部材（２）に樹脂針（４）を装着する場合には鍔（４５）を指先で把持して装着する。そこで、図９に示す様に、樹脂針（４）の鍔（４５）の外周部の少なくとも一部には指先をあてがうための直線的な切欠き部（４５ｐ）が設けられる。すなわち、鍔（４５）は、例えば、図９（ａ）に示す様に、円盤体の外周部に切欠き部（４５ｐ）を１箇所設けた形状、または、図９（ｂ）に示す様に、円盤体の外周部に切欠き部（４５ｐ）を２箇所平行に設けた形状に形成される。あるいは、図９（ｃ）に示す様に、扇形の板状体の円弧部に切欠き部（４５ｐ）を設けた形状に形成される。
【００３０】
また、図１及び図２に示す様に、樹脂針（４）は、その後端部にカテーテル（６）を接続して使用するため、図８に示す様に、樹脂針（４）のカテーテル嵌合部（４２）には、カテーテル（６）の抜け止めとしての環状の拡径部（４６）が設けられる。図８に例示した樹脂針（４）において、拡径部（４６）は１箇所に設けられているが、斯かる拡径部（４６）は複数箇所に設けられてもよい。通常、拡径部（４６）の外径は８〜２０ｍｍ程度である。
【００３１】
本発明においては、針装着穴（３）の所定位置で樹脂針（４）を固定するため、鍔（４５）よりも先端側の樹脂針（４）の胴部（４３）の鍔（４５）近傍には、蓋部材（２）の針装着穴（３）の係合溝（３４）に密接に嵌合する円環状の拡径部（４４）が設けられる。斯かる拡径部（４４）は、係合溝（３４）に応じて複数箇所設けられてもよい。拡径部（４４）の外径は、上記の係合溝（３４）の内径と略同一とされる。
【００３２】
更に、本発明においては、針装着穴（３）に装着した際の気密性を確保するため、樹脂針（４）の胴部（４３）の外周面は、蓋部材（２）の針装着穴（３）の筒部（３１）に密接に嵌合するテーパー面とされる。すなわち、樹脂針（４）の胴部（４３）の外周面は針装着穴（３）に密着する面に形成されている。樹脂針（４）の胴部（４３）のテーパー面のテーパー角度（θ２）は、上記の筒部（３１）のテーパー角度（θ１）と同様の角度であって、５度以下、好ましくは１〜５度に設定される。
【００３３】
本発明の装着構造において、蓋部材（２）は、容器本体（１）に輸液を充填した後、容器本体（１）に設けられた口部（１１）に溶着される。蓋部材（２）を溶着する場合は、口部（１１）のフランジ部（１２）に対し、蓋部材（２）のフランジ部（２２）を高周波溶着法、加熱溶着法などの溶着法によって溶着一体化する。
【００３４】
輸液容器を使用する場合は、図１又は図２に示す様に、上記の樹脂針（４）にカテーテル（６）を接続した状態で蓋部材（２）の針装着部（２１）の針装着穴（３）に樹脂針（４）を装着する。針装着穴（３）に樹脂針（４）を挿入する場合は、鍔（４５）を把持し、針装着穴（３）に針先（４１）を押込む。樹脂針（４）を押込むと、針装着穴（３）先端の封止部（３２）の脆弱部（３３）が針先（４１）によって破れる。そして、鍔（４５）が針装着部（２１）の端面に突き当たるまで樹脂針（４）を押込むことにより、樹脂針（４）の針先（４１）の針先孔（４１ｃ）を容器本体（１）内側に突出させることが出来る。
【００３５】
上記の様に樹脂針（４）を装着した場合、本発明の装着構造においては、針装着穴（３）の筒部（３１）の基端側内周面に設けられた係合溝（３４）に対し、樹脂針（４）の胴部（４３）の鍔（４５）近傍に設けられた拡径部（４４）が密接に嵌合するため、針装着穴（３）において樹脂針（４）を一定の位置に確実に保持でき且つ装着した樹脂針（４）の脱落を防止できる。そして、本発明の装着構造においては、針装着穴（３）の筒部（３１）の内周面と樹脂針（４）の胴部（４３）の外周面とがテーパー面に形成され且つ互いに密接に嵌合するため、針装着穴（３）と樹脂針（４）とで高い気密性を発揮し、樹脂針（４）装着後の輸液の漏れを有効に防止し得る。すなわち、本発明の装着構造によれば、輸液容器の口部（１１）に対して液漏れのない状態で確実に樹脂針（４）を装着することが出来る。
【００３６】
【発明の効果】
以上説明した様に、本発明によれば、蓋部材および樹脂針を射出成形によってそれぞれ一体的かつ簡単に構成でき、そして、蓋部材の針装着穴のテーパー面と樹脂針胴部のテーパー面との密接な嵌合により、輸液容器の口部に対して液漏れのない状態で確実に樹脂針を装着し得る工業的に有利な輸液容器の樹脂針装着構造が提供される。
【図面の簡単な説明】
【図１】輸液容器の口部に樹脂針が装着された状態の一例を一部破断して示す部分的な側面図である。
【図２】輸液容器の口部に樹脂針が装着された状態の他の例を一部破断して示す部分的な側面図である。
【図３】輸液容器の口部に溶着される蓋部材の形状例を示す縦断面図である。
【図４】輸液容器の口部に溶着される蓋部材の形状例を示す縦断面図である。
【図５】輸液容器の口部に溶着される蓋部材の形状例を示す縦断面図である。
【図６】蓋部材における針装着穴の構造例を示す縦断面図である。
【図７】針装着穴先端の封止部における脆弱部の形状例を示す底面図である。
【図８】樹脂針の構造例を一部破断して示す側面図である。
【図９】樹脂針の鍔の形状例を示す平面図である。
【符号の説明】
１　：容器本体
１１：口部
１２：フランジ部
２　：蓋部材
２１：針装着部（２１）
２２：フランジ部
２３：嵌合部
３　：針装着穴
３１：筒部
３２（３２Ａ）：封止部
３２（３２Ｂ）：封止部
３３：脆弱部
３４：係合溝
４　：樹脂針
４１：針先
４１ｃ：針先孔
４２：カテーテル嵌合部
４３：胴部
４４：拡径部
４５：鍔
４５ｐ：切欠き部
４６：拡径部
５　：シール
６：カテーテル
θ１：テーパー角
θ２：テーパー角
【図１】
2004057678.tif 000003
【図２】
2004057678.tif 000004
【図３】
2004057678.tif 000005
【図４】
2004057678.tif 000006
【図５】
2004057678.tif 000007
【図６】
2004057678.tif 000008
【図７】
2004057678.tif 000009
【図８】
2004057678.tif 000010
【図９】
2004057678.tif 000011